(57)【要約】【課題】簡易な構成により、筐体内におけるファンのがたつきを抑制することができるファンの取り付け構造を提供する。【解決手段】ファン１０を筐体１２に取り付けるファンの取り付け構造であって、筐体１２は、ファン１０が収容される収容部１４と、収容部１４の側面に形成された被係合部１４ｉと、を有し、ファン１０は、ハウジング３６に形成され、被係合部１４ｉに係合することによって、収容部１４内から開口部１６に向かう方向のファン１０の移動を規制する係合部２４ａと、ハウジング３６の収容部１４の側面と対向する面に形成され、ファン１０を収容部１４の側面から離れる方向に付勢するがたつき抑制機構２６と、を有する。【選択図】図１
2018073921.tif 000002
【特許請求の範囲】
【請求項１】
筐体に収容された電子部品を冷却するファンを前記筐体に取り付けるファンの取り付け構造であって、
前記筐体は、
前記ファンが挿入される開口部が形成され、前記ファンが収容される収容部と、
前記収容部の側面に形成された被係合部と、
を有し、
前記ファンは、
羽根を有する羽根車と、
前記羽根車を回転可能に支持するハウジングと、
前記ハウジングに形成され、前記被係合部に係合することによって、前記収容部内から前記開口部に向かう方向の前記ファンの移動を規制する係合部と、
前記ハウジングの前記収容部の側面と対向する面に形成され、前記ファンを前記収容部の側面から離れる方向に付勢する付勢部と、
を有することを特徴とするファンの取り付け構造。
【請求項２】
請求項１に記載のファンの取り付け構造であって、
前記ファンは、前記羽根車を駆動するモータを有し、
前記筐体は、前記電子部品が搭載される電子基板を収容し、
前記電子基板には、前記モータに電力を供給する供給側コネクタが搭載され、
前記ハウジングは、前記供給側コネクタと接続する負荷側コネクタを有することを特徴とするファンの取り付け構造。
【請求項３】
請求項１または２に記載のファンの取り付け構造であって、
前記付勢部は、前記ファンを前記収容部内から前記開口部側へ移動する方向に付勢することを特徴とするファンの取り付け構造。
【請求項４】
請求項１〜３のいずれか１項に記載のファンの取り付け構造であって、
前記ハウジングに形成され、前記被係合部と前記係合部との係合を解除するための操作部を有することを特徴とするファンの取り付け構造。
【請求項５】
請求項４に記載のファンの取り付け構造において、
前記操作部は、前記収容部の前記開口部から外に伸びて形成されていることを特徴とするファンの取り付け構造。
【請求項６】
請求項４に記載のファンの取り付け構造であって、
前記操作部は前記収容部内に設けられ、前記操作部が対向する前記収容部の側面と前記操作部との間に、作業員の指先を挿入可能な空間を設けたことを特徴とするファンの取り付け構造。
【請求項７】
請求項１〜６のいずれか１項に記載のファンの取り付け構造であって、
前記ハウジングは、前記ハウジングの前記収容部の側面と対向する面に設けられた突起部を有することを特徴とするファンの取り付け構造。
【請求項８】
筐体に収容された電子部品を冷却し、前記筐体の収容部に形成された開口部から挿入されて前記収容部に収容されるファンであって、
羽根を有する羽根車と、
前記羽根車を回転可能に支持するハウジングと、
前記ハウジングに形成され、前記収容部の側面に形成された被係合部に係合することによって、前記収容部内から前記開口部に向かう方向の前記ファンの移動を規制する係合部と、
前記ハウジングの前記収容部の側面と対向する面に形成され、前記ファンを前記収容部の側面から離れる方向に付勢する付勢部と、
を有することを特徴とするファン。
【請求項９】
請求項８に記載のファンであって、
前記羽根車を駆動するモータを有し、
前記ハウジングは、前記モータに電力を供給し、前記電子部品が搭載される電子基板に設けられた供給側コネクタと接続する負荷側コネクタを有することを特徴とするファン。
【発明の詳細な説明】
【技術分野】
【０００１】
本発明は、電子部品を冷却するファンを筐体に取り付けるファンの取り付け構造およびファンに関する。
【背景技術】
【０００２】
特許文献１には、ファンケースの側面にラッチを設け、ファンモータのフランジを、ラッチとファンケースの底面の曲げ部とによって挟み込んで、ファンモータがファンケースから脱落しないようにしているものが開示されている。
【０００３】
特許文献２には、取り付けシャーシ内面に抑え金具を設け、冷却ファン本体を取り付けシャーシ内に固定するものが開示されている。
【先行技術文献】
【特許文献】
【０００４】
【特許文献１】特開２００８−０７１８８１号公報
【特許文献２】特開平０９−２６６６５０号公報
【発明の概要】
【発明が解決しようとする課題】
【０００５】
特許文献１の技術では、ファン（ファンモータ）を筐体（ファンケース）に取り付けるためには、ファンの側面と筐体の側面との間に隙間を設ける必要があり、ファンが筐体の中でがたつくおそれがある。
【０００６】
特許文献２の技術では、抑え金具はファン（冷却ファン本体）を接触端子側に押圧しているものの、筐体（取り付けシャーシ）に別体の抑え金具を設ける必要があり、部品点数が増加する問題がある。
【０００７】
本発明は、上記の問題を解決するためになされたものであり、部品点数の増加を抑制しつつ、筐体内におけるファンのがたつきを抑制することができるファンの取り付け構造およびファンを提供することを目的とする。
【課題を解決するための手段】
【０００８】
本発明の態様は、筐体に収容された電子部品を冷却するファンを前記筐体に取り付けるファンの取り付け構造であって、前記筐体は、前記ファンが挿入される開口部が形成され、前記ファンが収容される収容部と、前記収容部の側面に形成された被係合部と、を有し、前記ファンは、羽根を有する羽根車と、前記羽根車を回転可能に支持するハウジングと、前記ハウジングに形成され、前記被係合部に係合することによって、前記収容部内から前記開口部に向かう方向の前記ファンの移動を規制する係合部と、前記ハウジングの前記収容部の側面と対向する面に形成され、前記ファンを前記収容部の側面から離れる方向に付勢する付勢部と、を有する。この構成により、部品点数の増加を抑制しつつ、筐体内におけるファンのがたつきを抑制することができる。
【０００９】
本発明の態様は、前記ファンは、前記羽根車を駆動するモータを有し、前記筐体は、前記電子部品が搭載される電子基板を収容し、前記電子基板には、前記モータに電力を供給する供給側コネクタが搭載され、前記ハウジングは、前記供給側コネクタと接続する負荷側コネクタを有してもよい。これにより、ファンが収容部に収容されるときに、負荷側コネクタが供給側コネクタと接続されるため、ファンを筐体に取り付ける作業の効率を向上させることができる。
【００１０】
本発明の態様は、前記付勢部は、前記ファンを前記収容部内から前記開口部側へ移動する方向に付勢するようにしてもよい。これにより、筐体内におけるファンのがたつきを抑制することができる。
【００１１】
本発明の態様は、前記ハウジングに形成され、前記被係合部と前記係合部との係合を解除するための操作部を有するようにしてもよい。これにより、ファンを筐体から容易に取り外すことができる。
【００１２】
本発明の態様は、前記操作部は、前記収容部の前記開口部から外に伸びて形成されているようにしてもよい。これにより、作業員は操作部を操作しやすくなり、ファンを筐体から容易に取り外すことができる。
【００１３】
本発明の態様は、前記操作部は前記収容部内に設けられ、前記操作部が対向する前記収容部の側面と前記操作部との間に、作業員の指先を挿入可能な空間を設けた。これにより、作業員は操作部を操作しやすくなり、ファンを筐体から容易に取り外すことができる。
【００１４】
本発明の態様は、前記ハウジングは、前記ハウジングの前記収容部の側面と対向する面に設けられた突起部を有してもよい。これにより、ファンを筐体の収容部に挿入し易くなり、ファンの筐体への取り付けを容易に行うことができる。
【００１５】
本発明の態様は、筐体に収容された電子部品を冷却し、前記筐体の収容部に形成された開口部から挿入されて前記収容部に収容されるファンであって、羽根を有する羽根車と、前記羽根車を回転可能に支持するハウジングと、前記ハウジングに形成され、前記収容部の側面に形成された被係合部に係合することによって、前記収容部内から前記開口部に向かう方向の前記ファンの移動を規制する係合部と、前記ハウジングの前記収容部の側面と対向する面に形成され、前記ファンを前記収容部の側面から離れる方向に付勢する付勢部と、を有する。この構成により、部品点数の増加を抑制しつつ、筐体内におけるファンのがたつきを抑制することができる。
【００１６】
本発明の態様は、前記羽根車を駆動するモータを有し、前記ハウジングは、前記モータに電力を供給し、前記電子部品が搭載される電子基板に設けられた供給側コネクタと接続する負荷側コネクタを有してもよい。これにより、ファンが収容部に収容されるときに、負荷側コネクタが供給側コネクタと接続されるため、ファンを筐体に取り付ける作業の効率を向上させることができる。
【発明の効果】
【００１７】
本発明によれば、部品点数の増加を抑制しつつ、筐体内におけるファンのがたつきを抑制することができる。
【図面の簡単な説明】
【００１８】
【図１】第１の実施の形態のファンを筐体の収容部内に収容した状態を示す部分断面図である。
【図２】第１の実施の形態のファンを筐体の収容部内に収容した状態を、収容部の開口部側から見た図である。
【図３】第１の実施の形態の電子基板を示す図である。
【図４】第１の実施の形態の筐体の収容部部分を上方から見た図である。
【図５】第１の実施の形態のファンの正面図である。
【図６】図６Ａは第１の実施の形態のファンの左側面図である。図６Ｂは第１の実施の形態のファンの右側面図である。
【図７】図７Ａは第１の実施の形態のファンの前面図である。図７Ｂは第１の実施の形態のファンの後面図である。
【図８】第２の実施の形態のファンを筐体の収容部内に収容した状態を示す部分断面図である。
【図９】第３の実施の形態のファンの正面図である。
【図１０】図１０Ａは第３の実施の形態のファンの左側面図である。図１０Ｂは第３の実施の形態のファンの右側面図である。
【図１１】図１１Ａは第３の実施の形態のファンの前面図である。図１１Ｂは第３の実施の形態のファンの後面図である。
【図１２】第３の実施の形態のファンを筐体の収容部内に収容した状態を、収容部の開口部側から見た図である。
【図１３】他の実施の形態１のファンを筐体の収容部内に収容した状態を示す部分断面図である。
【図１４】他の実施の形態１のファンを筐体の収容部内に収容した状態を、収容部の開口部側から見た図である。
【図１５】図１５Ａは他の実施の形態２のファンの正面図である。図１５Ｂは他の実施の形態２のファンの右側面図である。
【図１６】他の実施の形態３のファンを筐体の収容部内に収容した状態を示す部分断面図である。
【発明を実施するための形態】
【００１９】
本発明に係るファンの取り付け構造およびファンについて、好適な実施の形態を掲げ、添付の図面を参照しながら以下、詳細に説明する。
【００２０】
〔第１の実施の形態〕
［ファンの概要］
図１はファン１０を筐体１２の収容部１４内に収容した状態を示す部分断面図である。図２は、ファン１０を筐体１２の収容部１４内に収容した状態を、収容部１４の開口部１６側から見た図である。図３は電子基板１８を示す図である。なお、図１は図２におけるＩ−Ｉ線断面図である。
【００２１】
筐体１２には電子基板１８が収容されている。電子基板１８には、図３に示すように電子部品２０、２１が搭載されている。電子部品２０はプロセッサ等の熱を発する部品であり、電子部品２０上に放熱フィン２２が設置されている。電子部品２０において発した熱は放熱フィン２２に伝達されて、放熱フィン２２において放熱される。電子部品２１は、電子部品２０と比較して発する熱が少ない部品であり、電子部品２１上には放熱フィンは設けられていない。
【００２２】
ファン１０は収容部１４に形成された開口部１６から挿入されて、筐体１２の収容部１４内に収容されている。ファン１０は、収容部１４の下側面１４ａに開口する通風孔１４ｂから筐体１２内の空気を吸入し、外部に排出する。これにより筐体１２内の熱を外部に排出するとともに、筐体１２内に空気の流れが生じ、放熱フィン２２における放熱効率が高まり電子部品２０の冷却を促進するとともに、電子部品２１の冷却も促進することができる。
【００２３】
以下では、図２において、開口部１６側から見て、放熱フィン２２等が配置されている方向を下、その反対側を上として説明する。また図１において、収容部１４内から見て、電子基板１８が設けられている側を前、開口部１６側を後として説明する。さらに図１の状態で見た左側を左、右側を右として説明する。ただし、それぞれの部材間の位置関係は、ここで説明した上下前後左右の方向に限定されるものではない。
【００２４】
［筐体の構成］
図４は筐体１２の収容部１４部分を上方から見た図である。図１、図２および図４を用いて筐体１２の構成について詳述する。
【００２５】
筐体１２は樹脂により形成されている。筐体１２に形成された収容部１４は、概ねファン１０の外形に沿った形状の空間を有している。収容部１４は、上側面１４ｃ、下側面１４ａ、左側面１４ｄ、右側面１４ｅおよび前側面１４ｆを有している。下側面１４ａには前述のように通風孔１４ｂが開口している。上側面１４ｃには、複数の排出孔１４ｇが開口している。各排出孔１４ｇは、作業員の指先等が入らない程度の大きさに形成されている。左側面１４ｄおよび右側面１４ｅには、前側面１４ｆ側から開口部１６側に向かって直線状に伸びる溝部１４ｈが、開口部１６の手前まで形成されている。これにより左側面１４ｄおよび右側面１４ｅの開口部１６側端部には、溝部１４ｈから内側に突出する部分が形成され、これが被係合部１４ｉを構成している。電子基板１８は、収容部１４の外側に設置されている。収容部１４の前側面１４ｆ側の側壁には、電子基板１８に搭載された供給側コネクタ２８が挿入される図示しない貫通孔が設けられている。これにより、供給側コネクタ２８は収容部１４内に露出している。
【００２６】
［ファンの構成］
ファン１０は、収容部１４からの脱落を防止するロック機構２４、ファン１０が収容部１４内でがたつくことを抑制するがたつき抑制機構（付勢部）２６、供給側コネクタ２８と接続する負荷側コネクタ３０を有している。
【００２７】
ロック機構２４は、ロック機構２４に形成された係合部２４ａが収容部１４の左側面１４ｄおよび右側面１４ｅに形成された被係合部１４ｉと係合することで、ファン１０が収容部１４に対して開口部１６に向かう方向の移動を規制する。がたつき抑制機構２６は、ファン１０を後側（収容部１４の前側面１４ｆから離れる方向）に付勢することにより、ファン１０が収容部１４内でがたつくことを抑制する。負荷側コネクタ３０は、配線３２を介してファン１０の駆動源であるモータ３４に接続しており、供給側コネクタ２８と接続することでモータ３４に電力を供給する。ロック機構２４、がたつき抑制機構２６および負荷側コネクタ３０は、ファン１０のハウジング３６に設けられている。
【００２８】
以下、ファン１０のハウジング３６に形成された各構成について詳述する。図５はファン１０の正面図である。図６Ａはファン１０の左側面図である。図６Ｂはファン１０の右側面図である。図７Ａはファン１０の前面図である。図７Ｂはファン１０の後面図である。
【００２９】
ファン１０のハウジング３６は樹脂により形成されている。ハウジング３６の外形は略直方体に形成されている。ハウジング３６は、上側に上フランジ３６ａ、下側に下フランジ３６ｂを有している。ハウジング３６は、上フランジ３６ａと下フランジ３６ｂとの間に本体部３６ｃを有している。ハウジング３６には、上フランジ３６ａ、下フランジ３６ｂおよび本体部３６ｃを上下方向に貫通する貫通孔を有する円筒部３８が形成されている。円筒部３８内には、モータ３４が収容されている。モータ３４の駆動軸には、複数の羽根４０ａを有する羽根車４０が固定されている。羽根車４０はモータ３４により回転駆動される。
【００３０】
ハウジング３６には、本体部３６ｃの左側面および右側面から後側に向かって伸びるロック機構２４が設けられている。ロック機構２４は、ハウジング３６と同じ樹脂によりハウジング３６と一体に成形されている。ロック機構２４は、ハウジング３６の内側に向けて弾性変形可能に形成されている。ロック機構２４には係合部２４ａが形成されている。係合部２４ａは、ロック機構２４が弾性変形していない状態において、ハウジング３６の左右方向外側に突出するように形成されている。係合部２４ａの前側の側面は、前側から後側に向かうにつれて、ハウジング３６の左右方向外側に広がるように形成されている。これにより、ファン１０を収容部１４の開口部１６から挿入するときに、収容部１４の被係合部１４ｉにより係合部２４ａはハウジング３６の内側方向に押され、ロック機構２４はハウジング３６の内側方向に弾性変形する。係合部２４ａが被係合部１４ｉを通過すると、ロック機構２４の形状が戻り、係合部２４ａと被係合部１４ｉとが係合する。
【００３１】
ロック機構２４には操作部２４ｂが形成されている。操作部２４ｂは、ファン１０を収容部１４から取り出すときに作業員により操作される。作業員が指先等で操作部２４ｂにハウジング３６の内側方向に力を作用させると、ロック機構２４全体が弾性変形して係合部２４ａと被係合部１４ｉとの係合が解除される。ファン１０が収容部１４に収容されている状態で、操作部２４ｂは開口部１６から作業員が直接触れることができる（図１、図２参照）。さらに、操作部２４ｂは、本体部３６ｃの左側面および右側面よりも内側に形成されている。これにより、収容部１４の左側面１４ｄおよび右側面１４ｅと、操作部２４ｂとの間に作業員が指先を挿入することが可能な空間が確保されている。
【００３２】
ハウジング３６の上フランジ３６ａには、がたつき抑制機構２６が設けられている。がたつき抑制機構２６は、上フランジ３６ａの前端部に左右それぞれ１つ設けられている。がたつき抑制機構２６は、ハウジング３６と同じ樹脂によりハウジング３６と一体に成形されている。がたつき抑制機構２６は、ハウジング３６の内側に向けて弾性変形可能に形成されている。がたつき抑制機構２６に接触部２６ａが形成されている。接触部２６ａは、がたつき抑制機構２６が弾性変形していない状態において、ハウジング３６の前方向外側に突出するように形成されている。ファン１０が収容部１４に収容された状態で、接触部２６ａは前側面１４ｆと接触する。このとき、がたつき抑制機構２６は、ファン１０全体を収容部１４内から開口部１６側へ移動する方向に付勢する。これにより、ロック機構２４の係合部２４ａと収容部１４の被係合部１４ｉとが接触した状態が維持されるため、特に前後方向のファン１０のがたつきを抑制することができる。また、がたつき抑制機構２６の接触部２６ａと収容部１４の前側面１４ｆとが接触し、ロック機構２４の係合部２４ａと収容部１４の被係合部１４ｉとが接触することにより、各部材間には摩擦力が発生する。これにより、上下方向および左右方向のファン１０のがたつきも抑制することができる。
【００３３】
ハウジング３６には負荷側コネクタ３０が設けられている。負荷側コネクタ３０は、ハウジング３６にモールド成形され、ハウジング３６と一体となっている。負荷側コネクタ３０は、ハウジング３６に対して前方に突出して形成されている。負荷側コネクタ３０は、ファン１０が筐体１２に取り付けられるときに、収容部１４内に露出している供給側コネクタ２８と接続する。なお、第１の実施の形態の供給側コネクタ２８および負荷側コネクタ３０は、供給側コネクタ２８がメス型（またはオス型）、負荷側コネクタ３０がオス型（またはメス型）である差し込み式のものであるが、差し込み式のものではなく、露出した供給側コネクタ２８の端子と負荷側コネクタ３０の端子が接触するものであってもよい。
【００３４】
［作用効果］
ファン１０を筐体１２に取り付ける方法として、ファン１０をねじ止めすること、ファン１０をアダプタを用いて取り付けること等が考えられる。しかし、いずれの方法も工数の増大や部品点数の増加、収納エリアの増大につながる問題があった。
【００３５】
そこで、第１の実施の形態では、ファン１０のハウジング３６にロック機構２４（係合部２４ａ）、および、がたつき抑制機構２６を設けた。具体的には、ロック機構２４の係合部２４ａと収容部１４の被係合部１４ｉとを係合させて、ファン１０が収容部１４から脱落しないようにした。さらに、がたつき抑制機構２６により、ファン１０を収容部１４の前側面１４ｆから離れる方向に付勢するようにした。これにより、ファン１０を筐体１２に容易に取り付けることができ、ファン１０が収容部１４内でがたつくことを抑制しつつ、ファン１０を筐体１２に取り付けるための構成の部品点数、および、収納エリアの抑制ができる。
【００３６】
また、第１の実施の形態では、ハウジング３６に、電子基板１８の供給側コネクタ２８に接続する負荷側コネクタ３０を設けた。これによりファン１０を筐体１２に取り付ける際に、同時に供給側コネクタ２８と負荷側コネクタ３０とを接続することができる。
【００３７】
さらに、第１の実施の形態では、がたつき抑制機構２６は、ファン１０を収容部１４内から開口部１６側に移動する方向に付勢するようにした。これにより、ロック機構２４の係合部２４ａと収容部１４の被係合部１４ｉとが接触した状態が維持されるため、収容部１４内におけるファン１０のがたつきを抑制することができる。
【００３８】
また、第１の実施の形態では、作業員により操作されることにより、ロック機構２４の係合部２４ａと収容部１４の被係合部１４ｉとの係合を解除する操作部２４ｂを設けた。これにより、ファン１０を筐体１２から容易に取り外すことができる。
【００３９】
さらに、第１の実施の形態では、操作部２４ｂと、収容部１４の左側面１４ｄおよび右側面１４ｅとの間に作業員が指先を挿入することができる空間を設けた。これにより、作業員は操作部２４ｂを操作しやすくなり、ファン１０の筐体１２からの取り外し作業を容易にすることができる。
【００４０】
〔第２の実施の形態〕
第２の実施の形態では、第１の実施の形態に対して操作部２４ｂの形状が異なる。以下、第２の実施の形態について説明するが、第１の実施の形態と同じ機能を有する構成については、同一の符号を付して説明する。
【００４１】
図８はファン１０を筐体１２の収容部１４内に収容した状態を示す部分断面図である。操作部２４ｂは、収容部１４の開口部１６から外に伸びて形成されている。このため、操作部２４ｂの周囲に障害物がなく、作業員は操作部２４ｂを操作しやすくなり、ファン１０の筐体１２からの取り外し作業を容易にすることができる。
【００４２】
〔第３の実施の形態〕
以下、第３の実施の形態について説明するが、第１の実施の形態および第２の実施の形態と同じ機能を有する構成については、同一の符号を付して説明する。
【００４３】
図９はファン１０の正面図である。図１０Ａはファン１０の左側面図である。図１０Ｂはファン１０の右側面図である。図１１Ａはファン１０の前面図である。図１１Ｂはファン１０の後面図である。図１２は、ファン１０を筐体１２の収容部１４内に収容した状態を、収容部１４の開口部１６側から見た図である。
【００４４】
ハウジング３６の上フランジ３６ａにはロック機構２４が設けられている。ロック機構２４は、上フランジ３６ａの後端部に、左右それぞれ１つ設けられている。ロック機構２４は、ハウジング３６の内側に向けて弾性変形可能に形成されている。ロック機構２４には係合部２４ａが形成されている。係合部２４ａは、ロック機構２４が弾性変形していない状態においてハウジング３６の上方向外側に突出するように形成されている。ロック機構２４は、係合部２４ａが、収容部１４の上側面１４ｃの内側に形成された被係合部１４ｉと係合することで、収容部１４内から開口部１６に向う方向のファン１０の移動を規制する。係合部２４ａの前側の側面は、前側から後側に向かうにつれて、ハウジング３６の上下方向外側に広がるように形成されている。これにより、ファン１０を収容部１４の開口部１６から挿入するときに、被係合部１４ｉにより係合部２４ａはハウジング３６の内側方向に押されて、ロック機構２４はハウジング３６の内側方向に弾性変形する。係合部２４ａが被係合部１４ｉを通過すると、ロック機構２４の形状が戻り、係合部２４ａと被係合部１４ｉとが係合する。
【００４５】
ロック機構２４には操作部２４ｂが形成されている。操作部２４ｂは、上フランジ３６ａの面よりも内側に形成されている。これにより、上フランジ３６ａと操作部２４ｂとの間に作業員が指先を挿入することができる空間が確保されている。
【００４６】
ハウジング３６には、本体部３６ｃの前側面から左方向に向かって伸びる、がたつき抑制機構２６が設けられている。がたつき抑制機構２６は、ハウジング３６と同じ樹脂によりハウジング３６と一体に成形されている。がたつき抑制機構２６は、ハウジング３６の内側に向けて弾性変形可能に形成されている。がたつき抑制機構２６に接触部２６ａが形成されている。接触部２６ａは、がたつき抑制機構２６が弾性変形していない状態において、ハウジング３６の前方外側に突出するように形成されている。ファン１０が収容部１４に収容された状態で、接触部２６ａは前側面１４ｆと接触し、がたつき抑制機構２６はハウジング３６の内側方向に弾性変形する。がたつき抑制機構２６は、ファン１０全体を後方（収容部１４内から開口部１６側へ移動する方向）に付勢する。これにより、ロック機構２４の係合部２４ａと収容部１４の被係合部１４ｉとが接触した状態が維持されるため、特に前後方向のファン１０のがたつきを抑制することができる。また、がたつき抑制機構２６の接触部２６ａと収容部１４の前側面１４ｆとが接触し、ロック機構２４の係合部２４ａと収容部１４の被係合部１４ｉとが接触することにより、各部材間には摩擦力が発生する。これにより、上下方向および左右方向のファン１０のがたつきも抑制することができる。
【００４７】
ハウジング３６の上フランジ３６ａの前側には、上フランジ３６ａの面から外側に突出する突起部４２が形成されている。突起部４２は左右に１つずつ形成されている。ハウジング３６の下フランジ３６ｂの前側には、下フランジ３６ｂの面から外側に突出する突起部４４が形成されている。突起部４４は左右に１つずつ形成されている。
【００４８】
［作用効果］
第３の実施の形態では、収容部１４の上側面１４ｃに対向する上フランジ３６ａに突起部４２を、収容部１４の下側面１４ａに対向する下フランジ３６ｂに突起部４４を設けた。これにより、ファン１０を収容部１４に挿入するときに、突起部４４を収容部１４の下側面１４ａと接触させた状態、または、突起部４２を収容部１４の上側面１４ｃに接触させた状態で、ファン１０を収容部１４に挿入することが可能となる。突起部４２、４４を設けない場合に比べて、ハウジング３６と収容部１４との接触面積を小さくすることができ、ファン１０を収容部１４に挿入し易くすることができる。
【００４９】
〔他の実施の形態〕
以上、本発明を第１の実施の形態〜第３の実施の形態に基づいて説明してきたが、各発明の具体的な構成は第１の実施の形態〜第３の実施の形態に限定されるものではなく、発明の要旨を逸脱しない範囲の設計変更等があっても、本発明に含まれる。
【００５０】
〔他の実施の形態１〕
図１３はファン１０を筐体１２の収容部１４内に収容した状態を示す部分断面図である。図１４は、ファン１０を筐体１２の収容部１４内に収容した状態を、収容部１４の開口部１６側から見た図である。なお、図１３は図１４におけるＸＩＩＩ−ＸＩＩＩ線断面図である。
【００５１】
第１の実施の形態では、ロック機構２４の操作部２４ｂを本体部３６ｃの左側面および右側面よりも内側に形成することにより、操作部２４ｂと、収容部１４の左側面１４ｄおよび右側面１４ｅとの間に作業員が指先を挿入することができる空間を確保している。この構成に代えて、次のようにしてもよい。
【００５２】
図１３および図１４に示すように、収容部１４の左側面１４ｄおよび右側面１４ｅには、操作部２４ｂと対向する部分が収容部１４の外側に膨出して形成され、挿入孔１４ｊが設けられている。操作部２４ｂは、本体部３６ｃの左側面および右側面から後側に伸びて形成されている。操作部２４ｂは、収容部１４内部に配置されている。
【００５３】
さらに、被係合部１４ｉが、挿入孔１４ｊに対して上側と下側にそれぞれ１つ形成されている。係合部２４ａはロック機構２４の幅方向両端部にそれぞれ１つ形成されている。これにより、挿入孔１４ｊの深さを確保することができ、作業員は挿入孔１４ｊに指先を挿入して、操作部２４ｂを操作することができる。
【００５４】
〔他の実施の形態２〕
図１５Ａはファン１０の正面図であり、一部を断面図として記載している。図１５Ｂはファン１０の右側面図である。
【００５５】
第１の実施の形態では、がたつき抑制機構２６は上フランジ３６ａに設けられている。この構成に代えて、がたつき抑制機構２６は下フランジ３６ｂに設けられるようにしてもよい。
【００５６】
また第１の実施の形態では、がたつき抑制機構２６は、接触部２６ａが収容部１４の前側面１４ｆと接触するように形成されている。この構成に加えて、別のがたつき抑制機構４６が設けられるようにしてもよい。がたつき抑制機構４６は、接触部４６ａが収容部１４の左側面１４ｄ、右側面１４ｅと接触するように形成されている。
【００５７】
また第２の実施の形態では、ロック機構２４は本体部３６ｃに形成されている。この構成に代えて、ロック機構２４が上フランジ３６ａに形成されるようにしてもよい。この場合、接触部２６ａは、がたつき抑制機構２６が弾性変形していない状態において、ハウジング３６の前方外側に突出して形成されている。ロック機構２４は、係合部２４ａが、収容部１４の上側面１４ｃの内側に形成された被係合部１４ｉと係合することで、収容部１４内から開口部１６に向う方向のファン１０の移動を規制する。
【００５８】
〔他の実施の形態３〕
図１６はファン１０を筐体１２の収容部１４内に収容した状態を示す部分断面図である。第２の実施の形態では、操作部２４ｂは、収容部１４の開口部１６から外に伸びて形成されていた。この構成に代えて、操作部２４ｂは、収容部１４内に形成されるようにしてもよい。ファン１０を筐体１２から取り外すことは滅多になく、また道具を使えばファン１０を筐体１２から容易に取り外すことができる。操作部２４ｂを収容部１４内に設けることによって、作業員は素手で容易にファン１０を筐体１２から取り外すことができないため、作業員が誤ってファン１０を取り外すことを抑制することができる。
【符号の説明】
【００５９】
１０…ファン                            １２…筐体
１４…収容部                            １４ｉ…被係合部
１６…開口部                            １８…電子基板
２０、２１…電子部品                    ２４ａ…係合部
２４ｂ…操作部                          ２６、４６…がたつき抑制機構（付勢部）
２８…供給側コネクタ                    ３０…負荷側コネクタ
３４…モータ                            ３６…ハウジング
４０…羽根車                            ４０ａ…羽根
４２、４４…突起部
【図１】
2018073921.tif 000003
【図２】
2018073921.tif 000004
【図３】
2018073921.tif 000005
【図４】
2018073921.tif 000006
【図５】
2018073921.tif 000007
【図６】
2018073921.tif 000008
【図７】
2018073921.tif 000009
【図８】
2018073921.tif 000010
【図９】
2018073921.tif 000011
【図１０】
2018073921.tif 000012
【図１１】
2018073921.tif 000013
【図１２】
2018073921.tif 000014
【図１３】
2018073921.tif 000015
【図１４】
2018073921.tif 000016
【図１５】
2018073921.tif 000017
【図１６】
2018073921.tif 000018